(57)【要約】【課題】高強度のロック装置を採用しながら操作性及び見栄えを向上する【解決手段】本体側開口部に対し閉扉状態と開扉状態とに切り換えられ、かつ常時開方向へ付勢されている扉９Ｂに用いられて、閉扉状態で開口部側受け部５５ａに係脱するロック部材２を有したロック装置５において、扉に配設されてロック部材２を上下動可能に支持しているケース１と、ロック部材及び前記開口部に対応して設けられてロック部材２を移動して受け部５５ａに係合可能にする磁石Ｍ1及び磁性体５６からなる吸引手段と、ロック部材２の吸引手段を介した移動を制御する制御手段（３と４）とを備え、扉は付勢力に抗し開から閉方向へ押されると共にロック部材２が制御手段及び吸引手段を介して受け部５５ａに突出係合されて閉扉状態に保持され、更に閉方向へ押されることで係合解除されると共に係合解除状態を前記制御手段を介して維持して開方向へ切り換えられる。【選択図】図６
2010174533.tif 000002
【特許請求の範囲】
【請求項１】
本体側開口部に対し一端側を支点に回動されて前記開口部を塞ぐ閉扉状態と開放する開扉状態とに切り換えられ、かつ常時開方向へ付勢されている扉に用いられて、閉扉状態で前記開口部側の係止用受け部に係脱するロック部材を有したロック装置において、
前記扉に配設されて前記ロック部材を上下動可能に支持しているケースと、
前記ロック部材及び前記開口部にそれぞれ対応して設けられて前記ロック部材を移動して前記受け部に係合可能にする磁石及び磁性体からなる吸引手段と、
前記ロック部材の前記吸引手段を介した移動を制御する制御手段とを備え、
前記扉は付勢力に抗して開から閉方向へ押されると共に前記ロック部材が前記制御手段及び前記吸引手段を介して前記受け部に係合されて閉扉状態に保持され、閉扉状態から更に閉方向へ押されることで係合解除されると共に前記ロック部材の係合解除状態を前記制御手段を介して維持し開方向へ切り換えられることを特徴とするロック装置。
【請求項２】
前記制御手段は、前記ケースに上下動可能に配設されて前記開口部側の前記磁石又は磁性体に吸引可能な作動子と、一端側を前記作動子に摺動可能に連結し、他端側を前記ロック部材に着脱してそのロック部材の移動を規制したり許容するスライド式ストッパと、前記ケース側に設けられたカム溝及び前記作動子側に設けられて前記カム溝をトレースするピンからなるカム機構とを有し、
前記カム機構は、前記作動子の前記磁石又は磁性体を介した移動を制御することにより、前記スライド式ストッパを介して前記ロック部材の移動を規制可能にすることを特徴とする請求項１に記載のロック装置。
【請求項３】
前記制御手段は、前記ケースに上下動可能に配設されて前記開口部側の前記磁石又は磁性体に吸引される作動子と、前記ケースに枢支されてその枢支部を挟んだ一端側を前記作動子に嵌合可能にし、他端側を前記ロック部材に着脱してそのロック部材の移動を規制したり許容するシーソ式ストッパと、前記ケース側に設けられたカム溝及び前記作動子側に設けられて前記カム溝をトレースするピンからなるカム機構とを有し、
前記カム機構は、前記作動子の前記磁石又は磁性体を介した移動を制御することにより、前記シーソ式ストッパを介して前記ロック部材の移動を規制可能にすることを特徴とする請求項１に記載のロック装置。
【請求項４】
前記制御手段は、前記ケース側に設けられたカム溝、及び前記ロック部材側に設けられて前記カム溝をトレースするピンからなるカム機構を有し、
前記カム機構は、前記扉が前記閉扉状態から閉方向へ押され、その押し力が解放されて開方向へ動いたときに前記ロック部材の前記吸引手段を介した移動を一時的に規制可能にすることを特徴とする請求項１に記載のロック装置。
【請求項５】
前記扉に固定されて前記ケースを転倒可能に枢支する取付ベースと、前記ケースを前記取付ベースの正規位置に付勢している付勢部材とを有し、前記ロック部材が前記受け部と係合した状態で、前記ケースが所定大の振動を受けると転倒して前記係合を解除可能となることを特徴とする請求項１から４の何れかに記載の扉のロック装置。
【請求項６】
請求項１から５の何れかに記載のロック装置を備えていることを特徴とする扉。
【発明の詳細な説明】
【技術分野】
【０００１】
本発明は、扉に対する押し操作により扉を閉扉状態に保つよう係合し、次の押し操作により係合解除するロック装置及びそれを用いた扉に関する。なお、対象の扉は、本体側開口部に対し一端側を支点（この一端側は形態例のごとくガイドレール等に沿って移動される構成を含む）として回動されることで本体側開口部を塞ぐ閉扉状態と開放する開扉状態とに切り換えられるタイプである。好ましくは、クローゼットや間仕切り等に用いられて折り畳み展開しつつ移動可能な中折れ式扉（折戸）である。
【背景技術】
【０００２】
例えば、従来の中折れ式扉では、扉同士がロック装置により閉扉状態に保持されると共に、扉同士を連結している蝶番が付勢手段を有しその付勢力により閉扉状態での係合や保持作用を補う場合もある。また、従来構造では、ロック装置の係合解除と共に扉を開方向へ引く際の取っ手が必要となるため、見栄えが扉の意匠面側の取っ手により悪くなる。特許文献１はその対策例を開示している。構造特徴は、操作時に使用する取っ手として、扉に設けられる手掛け用凹所を蝶番（ヒンジ）との関係で見えにくく設けることで外観性を向上したものである。また、公知技術には、取っ手の一種としてワンプッシュで扉表面に没入させ、この状態で再度プッシュすることにより扉表面に突出する出没式取っ手にした構成、閉扉状態における扉のばた付きを押さえるための手段として、レール内に納めるためのキャッチ部材を設けた構成もある。
【先行技術文献】
【特許文献】
【０００３】
【特許文献１】特開２００８−２４０３７７号公報
【発明の概要】
【発明が解決しようとする課題】
【０００４】
特許文献１の構造では、手掛け用凹所を小さくするほど見栄えを改善できるが、凹所を小さくすると操作性が悪くなる。また、出没式取っ手では、扉表面を完全には平面にできず操作もその分面倒となる。キャッチ部材を用いる構造では、キャッチ部材の取付精度に煩わされたり操作性もその分面倒となる。なお、従来のロック装置には、扉を最初の押し操作により本体側に係合保持し、次の押し操作により係合解除するプッシュ・プッシュ係止機構（例えば、特開２００６−２１４１０５号公報に開示の構成）がある。しかし、この構造では、ロック装置と該ロック装置に係脱する棒状係脱部材（ストライカ等と称されている）を必須としている関係で、係合強度に制約され易く、扉がクローゼット等のごとく大型かつ重くなったり中折れ式になると適用困難となる。
【０００５】
本発明の目的は以上のような背景から、閉扉状態で本体の開口部側に設けられた係止用受け部に係脱、つまり突出係合したり係合解除するロック部材を有した高強度のロック装置として、特に、扉が開から押されることで閉扉状態に係合保持され、閉扉状態から再び押されることで係合解除され、かつ開方向へ付勢力で回動されるようにし操作性及び見栄えを向上することにある。
【課題を解決するための手段】
【０００６】
上記目的を達成するため請求項１の本発明は、第１形態と第２形態の例で特定すると、本体側開口部に対し一端側を支点に回動されて前記開口部を塞ぐ閉扉状態と開放する開扉状態とに切り換えられ、かつ常時開方向へ付勢されている扉９Ｂに用いられて、閉扉状態で前記開口部側の係止用受け部５５ａに係脱するロック部材２，２Ａを有したロック装置において、前記扉に配設されて前記ロック部材を上下動可能に支持しているケース１，１Ａと、前記ロック部材及び前記開口部にそれぞれ対応して設けられて前記ロック部材を移動して前記受け部に係合可能にする磁石Ｍ1及び磁性体５６からなる吸引手段と、前記ロック部材の前記吸引手段を介した移動を制御する制御手段（３と４、又は、１７Ａと２９）とを備え、前記扉は付勢力に抗して開から閉方向へ押されると共に前記ロック部材２，２Ａが前記制御手段及び前記吸引手段を介して前記受け部５５ａに係合されて閉扉状態に保持され、閉扉状態から更に閉方向へ押されることで係合解除されると共に前記ロック部材の係合解除状態を前記制御手段を介して維持し開方向へ切り換えられることを特徴としている。以上の本発明において、磁石は永久磁石に限らず電磁石でもよい。磁性体は、鉄などのように磁石に引き寄せられる物質であり、磁化されて相手側磁石と吸引する磁石を含む。
【０００７】
以上の本発明は、請求項２〜６のごとく具体化されることがより好ましい。すなわち、（１）前記制御手段は、第１形態のごとく前記ケース１に上下動可能に配設されて前記開口部側の前記磁石又は磁性体に吸引可能な作動子３と、一端側を前記作動子に摺動可能に連結し、他端側を前記ロック部材２に着脱してそのロック部材の移動を規制したり許容するスライド式ストッパ４と、前記ケース側に設けられたカム溝１７及び前記作動子側に設けられて前記カム溝をトレースするピンＰからなるカム機構とを有し、前記カム機構は、前記作動子３の前記磁石又は磁性体を介した移動を制御することにより、前記スライド式ストッパ４を介して前記ロック部材２の移動を規制可能にする構成である（請求項２）。
【０００８】
（２）前記制御手段は、変形例（図９と図１）のごとく前記ケース１に上下動可能に配設されて前記開口部側の前記磁石又は磁性体に吸引される作動子３と、前記ケースに枢支されてその枢支部を挟んだ一端側を前記作動子３に嵌合可能にし、他端側を前記ロック部材２に着脱してそのロック部材の移動を規制したり許容するシーソ式ストッパ４Ａと、前記ケース側に設けられたカム溝１７及び前記作動子側に設けられて前記カム溝をトレースするピンＰからなるカム機構とを有し、前記カム機構は、前記作動子３の前記磁石又は磁性体を介した移動を制御することにより、前記シーソ式ストッパ４Ａを介して前記ロック部材２の移動を規制可能にする構成である（請求項３）。
【０００９】
（３）前記制御手段は、第２形態（図１１〜図１３）のごとく前記ケース１Ａ側に設けられたカム溝１７Ａ、及び前記ロック部材２Ａ側に設けられて前記カム溝をトレースするピンＰからなるカム機構を有し、前記カム機構は、前記扉が前記閉扉状態から閉方向へ押され、その押し力が解放されて開方向へ動いたときに前記ロック部材２Ａの前記吸引手段５６，Ｍ1を介した移動を一時的に規制可能にする構成である（請求項４）。
【００１０】
（４）以上のロック装置は、図８に例示したごとく前記扉に固定されて前記ケース１を転倒可能に枢支する取付ベース６と、前記ケースを前記取付ベースの正規位置に付勢している付勢部材５０とを有し、前記ロック部材２が前記受け部５５ａと係合した状態で、前記ケース１が所定大の振動を受けると転倒して前記係合を解除可能となる構成である（請求項５）。
【００１１】
（５）これに対し、請求項６は以上の各ロック装置を用いた扉を特定したものである。この場合、より好適な扉構造としては、各形態に示したごとく扉がガイドレールに沿って折り畳み展開しつつ移動可能な中折れ式扉である。この例では、前記ガイドレールの凹溝を係止用受け部とし、該凹溝内にロック部材の突出端側を出没可能とすると共に、前記ガイドレールの対応部に磁石又は相手側磁石に吸引される磁性体を設ける。
【発明の効果】
【００１２】
請求項１の発明では、閉扉状態で本体の開口部側に設けられた係止用受け部に係脱、つまり突出係合したり係合解除するロック部材を有した高強度のロック装置構造を採用しながら、扉に対する押し操作により扉を開から閉扉状態に制御手段及び吸引手段を介して切り換えたり、次の押し操作により係合解除して開扉状態に切り換えるため、閉扉状態においてがたつきなく保持でき、操作性を良好にでき、しかも従来の取っ手を不要にして外観性も向上できる。加えて、本発明の他の利点は、ロック部材が本体の開口部側受け部に対し磁石及び磁性体からなる吸引手段を介して係合するため、開口部と扉との間の隙間設定が多少異なるタイプ、開口部や扉の歪みや寸法誤差等により変形したとしても、その隙間を磁石及び磁性体との間に発生する磁力（吸引力）の吸引範囲により吸収でき、それにより汎用性を向上できる。なお、この点は、従来のロック装置だと、部材同士が高い寸法精度を要求されたり、隙間吸収手段や高さ調整手段をロック構造に追加しなくてはならない。
【００１３】
請求項２〜４の各発明は、上記制御手段の構成例であり用途等に応じて選択可能にする。例えば、請求項２の制御手段では作動子及びスライド式ストッパ並びにカム機構を有しているためロック部材に対する規制作用を振動等の影響を受けず高精度に付与したい場合、請求項３の制御手段では作動子及びシーソ式ストッパ並びにカム機構を有しているためロック部材に対する応答性を良好にしたり規制荷重を過大に必要とする場合、これに対し請求項３の制御手段ではカム機構だけであるため簡易でありコストを大幅に低減化したい場合に好適となる。
【００１４】
請求項５の発明では、例えば、子供が扉で開閉される本体側開口部の内側（収納室等）に閉じこめられた場合等の非常時において、扉の背面から扉を叩く等して所定大の振動を加えるだけで、ロック装置が付勢力に抗して強制的に転倒しながら係合解除するため、異常事態（人が扉の背面側空間に閉じ込められたとき等）に無理開き可能にして信頼性及び安全性を向上できるようにする。
【００１５】
請求項６の発明では、扉として、請求項１〜５の作用効果を具備できる。扉が形態に示したごとくガイドレールに沿って折り畳み展開しつつ移動可能な中折れ式扉であれば、係止用受け部としてガイドレールの凹溝が利用できる。
【図面の簡単な説明】
【００１６】
【図１】本発明を適用したロック装置を備えた中折れ式の扉を示し、（ａ）は要部を扉の意匠面側から見た概略斜視図、（ｂ）は要部を背面側から見た概略斜視図である。
【図２】上記ロック装置、扉に対する取付構造と蝶番を示す概略分解斜視図である。
【図３】上記蝶番の一部を破断して示す概略斜視図である。
【図４】上記ロック装置の主要部を拡大して示す斜視図である。
【図５】カム機構を構成しているカム溝とピンの動きと、作動子及びロック部材の昇降移動との関係を示す模式作動原理図である。
【図６】（ａ）〜（ｅ）はカム機構を構成しているカム溝とピンの動き、並びに開扉状態から閉扉状態並びに係合、係合解除までの動きを示す模式作動図である。
【図７】（ａ）〜（ｅ）は同じく扉の開から、閉扉閉状態での係合、及び係合解除までの動きを示す模式作動図である。
【図８】（ａ）〜（ｃ）は閉扉状態で子供等が閉じ込められた非常時における係合解除の動作を示す部分断面図である。
【図９】上記形態の変形例を示すロック装置の概略分解斜視図である。
【図１０】（ａ），（ｂ）は上記変形例におけるロック部材の移動を規制した状態と移動を許容した状態を示す部分断面図である。
【図１１】本発明の第２形態を示すロック装置の概略分解斜視図である。
【図１２】（ａ）〜（ｄ）は第２形態のカム機構を構成しているカム溝とピンの動きと、開扉状態から閉扉状態並びに係合、係合解除までの動きを示す模式作動図である。
【図１３】（ａ）〜（ｄ）は第２形態の扉の開から、閉扉閉状態での係合、及び係合解除までの動きを示す模式作動図である。
【発明を実施するための形態】
【００１７】
以下、本発明の好ましい実施の形態として、図１〜図８に示した第１形態と、図９と図１０に示した変形例と、図１１〜図１３に示した第２形態について説明する。この説明では、本体側開口部と扉の構成、蝶番の構成、ロック装置の構成、カム機構と関連部材の作動、ロック装置の主作動、無理抜き構造、変形例、第２形態の順に詳述する。
【００１８】
（本体側開口部と扉の構成）各形態のロック装置５，５Ａは、図１に例示したごとく本体側開口部に対し一端側を支点として回動されることで本体側開口部を塞ぐ閉扉状態と開放する開扉状態とに切り換えられる扉９Ｂ又は扉９Ａに用いられる。図１はその一例として、本体８の開口部が左右一対の縦材８ａ及び横材８ｂで区画形成されている。この開口部は、例えば、居室や廊下などの共有空間と、ウオークインクローゼットや物入れ等の閉空間とを、中折れ式扉９Ａ，９Ｂを介して開閉ないしは連通する箇所である。上側の横材８ｂ或いは上下の横材８ｂの内面には、ガイドレール５５が長手方向に沿って固定されている。このガイドレール５５は、アルミ製（非磁性体）であり、かつ、凹溝５５ａ付き矩形断面となっている。凹溝５５ａは、ロック装置５の係止用受け部を兼ねる。但し、構造的にはガイドレール５５を省略し、横材８ｂに凹溝を形成してもよい。
【００１９】
扉９Ａ,９Ｂは、前面（意匠面）側、すなわち前記した共有空間に配される側は、図１（ａ）に示されるごとく平坦面に形成され、取っ手或いは手掛け用凹所等を一切なくした意匠形状に造形されている。これに対し、扉９Ａ,９Ｂの背面、すなわち前記した閉空間側における扉同士の対向端は、図１（ｂ）に示されるごとく複数（図では一つのみを示す）の蝶番７によって折曲可能に連結されている。扉９Ａは、一端側が縦材８ａに接近配置されて、ガイドレール５５の対応端側に対し不図示の枢軸等を介して回動可能に枢支されているが、ガイドレール５５の凹溝に沿って不図示の枢軸等を介して移動可能かつ回動可能に枢支するようにしてもよい。これに対し、扉９Ｂは、一端側がガイドレール５５の凹溝に沿って不図示の枢軸等を介して移動可能かつ回動可能に枢支されている。
【００２０】
また、扉９Ｂには、上側の蝶番６の近傍で、扉の背面上縁には図２に示されるごとく凹所９ａが設けられていると共に、ロック装置５がその凹所９ａに配設されている。なお、他方の扉９Ａには、各扉が完全に開いた状態、すなわち扉同士が完全に折り畳まれた状態で、扉９Ｂ側に設けられたロック装置５を受け入れるための凹所９ａが形成されている。一方、ガイドレール５５にあって、長手方向中央部の背面付近には、後述するロック装置５側の磁石Ｍ1に吸引される吸着用鉄製レール５６が固定されている。この鉄製レール５６は断面略コ字形又はＬ字形の鉄製レールであるが、レール形状でなくともよい。要は磁石Ｍ1，Ｍ2に吸引される磁性体であればよく、またその磁性体を磁化して磁石としてもよい。更に、原理的には、鉄製レール５６を磁石構成とし、ロック装置５側の磁石Ｍ1，Ｍ2をそれに吸引される磁性体に代えるようにしてもよい。
【００２１】
（蝶番の構成）図１（ｂ）、図２、図３において、蝶番７は、扉９Ａと扉９Ｂとにまたがって複数のねじＢにより扉対応部に固定されると共に、各扉を常時扉開状態、つまり外側に向けて折曲するよう付勢する付勢ばねを有している。詳述すると、蝶番７は、図３に例示されるごとく対応する扉に取り付けられる左右の蝶番片４７，４７と、各蝶番片４７，４７を上下の連結部４７ａを介して回動自在に支持している枢軸４８と、枢軸４８の外周に配置されるコイル形の付勢ばね４９と、枢軸４８に対し付勢ばね４９を覆うようにして回動自在に枢支され、かつ付勢ばね４９の対応端４９ａ又は４９ｂを掛け止めした状態で対応する蝶番片４７に重ねられるカバー兼用のばね受け片７ａ，７ｂとからなる。そして、各蝶番片４７には、付勢ばね４９及びばね受け片７ａ，７ｂを介して、矢印で示す折り曲げる付勢力が常時加わっている。このため、この蝶番７では、ロック装置５の係合解除、つまり非ロック状態において、図７（ａ）に示されるごとく扉９Ａ，９Ｂ同士を略ヘの字形や略Ｖの字形となる方向へ折り曲げて扉開状態に切り換える。このような蝶番は市販品を使用してもよい。以上の説明は変形例及び第２形態でも同じ。
【００２２】
（ロック装置の構成）第１形態のロック装置５は、扉側凹所９ａに対し直接或いは取付ベース６を介して配設されるケース１と、ケース１の空間１０に上下動可能に支持されているロック部材２と、ロック部材２に組み込まれて本体８側開口部に設けられた磁性体としての鉄製レール５６にロック部材２を吸引可能にする磁石Ｍ1と、磁性体としての鉄製レール５６とロック部材側磁石Ｍ1とからなる吸引手段を介したロック部材２の移動を制御する作動子３及びスライド式ストッパ４などからなる制御手段（３と４）とを備えている。そして、上記扉９Ａ，９Ｂは、蝶番６の付勢ばね４９により常時開方向へ付勢された状態で、その付勢力に抗して開から閉方向へ押されると共にロック部材２が制御手段（３と４）及び吸引手段（５６とＭ1）を介して受け部である凹溝５５ａに突出係合されて閉扉状態に保持されると共に、閉扉状態から更に閉方向へ押されることで係合解除されると共にロック部材２の係合解除状態を制御手段（３と４）を介して維持して開方向へ切り換えられる。なお、以上のロック装置５は、扉側への取付構造として、扉側凹所９ａにねじＢで固定される金属製の取付ベース６と、該取付ベース６に吸引される磁石Ｍ3と、付勢部材５０とを備えており、後述するごとく閉扉状態で扉を背面側より簡単に開に切換可能となっている（これが無理抜き構造である）。
【００２３】
ここで、ケース１は、概略上開口した容器状をなし、ロック部材２を配置する空間１０と、作動子３を配置する空間１１と、付勢部材５０を配置する下側空間１２と、両側壁にあって前下側で同軸線上に突設されている軸部１４，１４及び後上側に開口されて磁石Ｍ3を収容する格納部１５と、カム溝１７とを形成している。また、空間１０と空間１１とは、隔壁１３等で区画されていると共に、後側に設けられた小開口１０ｃを介して連通されている。符号１０ａはケース後壁に設けられてロック部材２の上昇位置を規制する嵌合溝、符号１０ｂはロック部材２の移動を案内する複数のガイド溝、符号１１ｂは作動子３の移動を案内する複数のガイド溝、符号１２ａは付勢部材５０を支持する軸部、符号１５ａは格納部１５に収容された磁石Ｍ3を押さえる爪部である。
【００２４】
ロック部材２は、空間１０に対応した略直方体形状をなし、その上壁の前縁に突設されてガイドレール５５の凹溝５５ａ内に出没して係脱されるロック爪２１と、片側壁の後下側に水平に突設されて小開口１０ｃに余裕を持って配置される当接部２２と、後壁の上側から前方に向けて開口された格納部２３と、後壁の中間より下側に設けられてケース側嵌合溝１０ａに嵌合される抜け止め用爪２４とを形成している。ロック爪２１の形状は、前側が垂直面で、後側が傾斜面となっている。符号２０ａはロック部材２の上壁中央に開口された窓である。この窓には格納部２３に収容される磁石Ｍ1の抜けを防ぐ不図示の係止爪が設けられている。符号２０ｂはロック部材２の両側壁及び前壁に設けられた縦リブである。
【００２５】
以上のロック部材２は、格納部２３に磁石Ｍ1を装着した状態で、ケース側空間１１に対し当接部２２を小開口１０ｃから空間１１の後側へ挿通し、各縦リブ２０ｂを対応するガイド溝１０ｂに沿って嵌合しながら移動し、かつ爪２４を嵌合溝１０ａに嵌合すると上下動可能に組み込まれる。
【００２６】
また、上記制御手段は、ケース側空間１１に上下動可能に配設されて本体８側開口部に設けられた磁性体としての鉄製レール５６に磁石Ｍ2を介して吸引可能な作動子３と、一端側を作動子３に設けられたストッパ用ガイド孔３３ａに摺動可能に連結し、他端側をロック部材２の当接部２２に着脱してそのロック部材２の移動を規制したり許容するスライド式ストッパ４と、ケース側空間１１の前内側に設けられたカム溝１７及び作動子３側に組み込まれた揺動子３５に設けられてカム溝１７を旋回するトレース用ピンＰからなるカム機構とを有し、該カム機構が作動子３の磁石Ｍ2及び磁性体である鉄製レール５６を介した移動を制御することにより、スライド式ストッパ４を介してロック部材２の移動を規制可能にする構成である。
【００２７】
ここで、作動子３は、空間１１に対応したブロック状の胴体３０が後壁の上側から前方に向けて開口された磁石用格納部３１と、格納部３１の下側に設けられて一方側壁から他方側壁の手前まで開口された揺動子用格納部３２と、格納部３２の下側に設けられて後壁の下側から前方に向けて開口されたストッパ用空間３３とを区画形成している。
符号３０ａは作動子３の上壁中央に開口された窓である。この窓には格納部３１に収容される磁石Ｍ2の抜けを防ぐ不図示の係止爪が設けられている。符号３０ｂは作動子３の両側壁及び前壁に設けられた縦リブである。符号３２ａは格納部３２の内側上面に突設されたガイドリブであり、符号３２ｂは同じく格納部３２の後壁と前壁（不図示）に対向して設けられたガイド溝である。符号３３ａは空間３３を区画している両側壁に設けられて上下方向に延びるストッパ用ガイド溝である。このガイド溝３３ａは下側が上側よりも後側に位置する溝形状となっている。符号３３ｂは空間３３の上側を広くしたストッパ４の対応部を逃がす逃げ部である。
【００２８】
格納部３１には磁石Ｍ2が装着される。格納部３２には揺動子３５が組み込まれる。この揺動子３５は、前端面に突設されて後述するカム溝１７の溝形状に沿って旋回するトレース用ピンＰと、上面に設けられた横溝３５ａと、後端面に突設された軸３５ｂとを形成している。そして、以上の揺動子３５は、格納部３２に入れられて、ピンＰが前壁（不図示）のガイド溝から突出され、軸３５が後壁のガイド溝３３ｂに嵌合され、横溝３５ａがガイドリブ３２ａに嵌合されることで、格納部３２に対し左右に揺動可能に配置される。なお、ピンＰとしては、ピン部材及び付勢部材で構成し、該付勢部材の付勢に抗して揺動可能に支持するようにしてもよい。この点は変形例及び第２形態でも同じ。
【００２９】
また、空間３３にはストッパ４が上下動可能に組み込まれる。このストッパ４は、胴体４０を支持している基板４１を有し、該基板４１の後縁部を傾斜した規制面４１ａに形成している。符号４２は前後溝、符号４３は基板４１の両側面に突設した軸である。そして、以上のストッパ４は、前側が空間３３に入れられて、両側の軸４３がガイド溝３３ａにそれぞれ嵌合されることで、空間３３に対しガイド溝３３ａに沿って上下動可能に配置される。
【００３０】
以上の作動子３は、以上のようにして磁石Ｍ2、揺動子３５、ストッパ４と共に空間１１内に配置されると、揺動子３５のピンＰが前記ガイド溝からカム溝１７の溝内に突出され、ストッパ４の規制面４１ａが空間１０側から小開口１０ｃを通って空間１１の後側に挿通された当接部２２の上面に当接している。すなわち、この第１形態において、ストッパ４は、図６に模式的に示したごとく、軸４３がガイド溝３３ａの溝下側に移動されると作動子３に対し後方への突出量を増し、それによってロック部材側当接部２２の真上に位置してロック部材２の上方向への移動を規制したり、逆に、軸４３がガイド溝３３ａの溝上側に移動されると作動子３に対し後方への突出量を減じ（これはガイド溝形状に応じ前方へ移動されるためである）、それによってロック部材側当接部２２の真上から外れてロック部材２の上方向への移動を許容する。
【００３１】
（カム機構と関連部材の作動）次に、以上のカム溝１７の形状、及び該カム溝１７をトレースするＰの軌跡とケース１内の各部材の動作との関係を図５を用いて説明する。図５において、カム溝１７は、凸でハート形の島１７ｆの周囲に形成されており、下側から右上側へ延びている住路溝１７ａと、上側に位置して左右に別れている係止用誘導溝１７ｂ及び解除用誘導溝１７ｄと、誘導溝１７ｂ，１７ｄの間で少し下側に位置した凹状係止溝１７ｃと、誘導溝１７ｄから下側へ延びる復帰溝２７ｅなどで構成されている。
そして、ピンＰは、作動子３が下降位置から上昇されると住路溝１７ａから誘導溝１７ｂに移動し（作動子及びピンの上昇位置）し、作動子３がその上昇位置から少し下降されると誘導溝１７ｂから係止溝１７ｃに移動（作動子及びピンの中間位置）し、作動子３が中間位置から少し上昇されると係止溝１７ｃから誘導溝１７ｄに移動（作動子及びピンの上昇位置）し、作動子３がその上昇位置から下方へ下降されると誘導溝１７ｄから復帰溝１７ｅの下端ないしは住路溝１７ａの下端に移動（作動子及びピンの下降位置）することになる。
【００３２】
換言すると、作動子３（ピンＰ）の上昇位置において、ストッパ４は軸４３がガイド溝３３ａの溝下側に移動され、ガイド溝３３ａの溝形状により作動子３の後側（図５だと右方向）へ移動されている。この結果、ロック部材２は、当接部２２がストッパ４の規制面４１ａに当たって上昇移動が規制される。作動子３（ピンＰ）の中間位置において、ストッパ４は軸４３がガイド溝３３ａの溝下より少し上側に移動され、前記と同様に作動子３の後側（図５だと、右方向）へ移動されている。このため、ロック部材２は、当接部２２がストッパ４の存在で前記と同様に上昇移動が規制される。作動子３（ピンＰ）の下降位置において、ストッパ４は軸４３がガイド溝３３ａの溝斜め上側に移動され、ガイド溝３３ａの溝形状により作動子３の前側（図５だと、左方向）へ移動されている。この結果、ロック部材２は、当接部２２がストッパ側規制面４１ａから外れて上昇移動可能となる。
【００３３】
（ロック装置の主作動）次に、以上のロック装置５を用いたときの開扉状態（扉の開）から、閉扉状態に切り換えたり、閉扉状態から再び扉開状態に切り換えるときの作動について図６及び図７を参考にして明らかにする。なお、図７は各部の状態変化に応じた扉９Ａ，９Ｂの開閉状態を模式的に示している。図６と図７中の矢印は移動方向又は力の加わる方向を示している。図７では上記したガイドレール５５及び扉９Ｂの対応端側に設けられてガイドレール側凹溝５５ａに沿って移動する枢軸（この枢軸はピン構成、ローラー構成の場合もある）を破線で示している。また、以下の説明では、蝶番側の付勢ばね４９の付勢力は磁石Ｍ1，Ｍ2の鉄製レール５６に対する接近時の吸引磁力より大きく設定されているものとする。
【００３４】
（１）まず、開扉状態では、図１と図６（ａ）及び図７（ａ）に示されるごとく蝶番側の付勢ばね４９の付勢力により、扉９Ａ，９Ｂ同士の対向端部は手前方向へ向けてへの字形（付勢力がより強いと更にＶの字形）に回動されている。なお、この状態で、図７（ａ）の想像線に示すごとく、扉９Ｂを手で矢印方向へ押圧することにより、扉９Ａ，９Ｂ同士が折り畳まれ、本体８側の開口部の幅を大きく開口することができる。なお、この開扉状態では、上述したごとく作動子３（ピンＰ）が図５の中間位置にあり、ストッパ４は軸４３がガイド溝３３ａの溝下より少し上側に位置してストッパ作動方向へ移動され、ロック部材２は当接部２２がストッパ４に当たって上昇移動が規制されている。
【００３５】
（２）開扉状態から閉扉状態にする場合は、図６（ａ），図７（ａ）及び図６（ｂ），図７（ｂ）に示されるごとく手や指で扉９Ｂ又は扉９Ａを蝶番７の付勢ばね４９の付勢力に抗して矢印つまりオーバーストローク（扉９Ｂ又は扉９Ａがガイドレール５５を通り過ぎること）するまで閉方向へ押す。この押圧過程において、ロック装置５を構成している作動子３が磁性体である鉄製レール５６に接近すると、作動子３は磁石Ｍ2と鉄製レール５６との間に発生する磁力（吸引力）で上昇移動される。
【００３６】
これに同期して、ピンＰは係止溝１７ｃから解除側誘導溝１７ｄに移動される。すると、図６（ｂ）のごとく作動子３（ピンＰ）の上昇移動により、ストッパ４は軸４３がガイド溝３３ａの溝斜め上側に移動されると共に、ロック部材２は当接部２２がストッパ４（の規制面４１ａ）から外れて上昇移動可能な状態となる。このため、扉９Ｂ又は扉９Ａに対する押圧力を解放（これは手や指を扉から離すことである）すると、扉９Ｂ，９Ａは図６（ｃ）のごとく蝶番側付勢ばね４９の付勢力により開方向へ回動ないしは移動される。このとき、このロック装置５は、扉９Ｂ，９Ａの開方向の移動でロック部材２が磁性体である鉄製レール５６に接近すると、ロック部材２は磁石Ｍ1と鉄製レール５６との間に発生する磁力（吸引力）で上昇移動されて、ロック爪２１が受け部であるガイドレール側凹溝５５ａに突出係合される。扉９Ｂ，９Ａはロック爪２１と凹溝５５ａとの係合により閉扉状態に保たれる。
【００３７】
（３）扉９Ｂ，９Ａを再び開扉状態にする場合は、図６（ｄ），図７（ｄ）に示されるごとく手や指で扉９Ｂ又は扉９Ａを蝶番７の付勢ばね４９の付勢力に抗して、閉方向へオーバストロークするまで押す。この押圧過程において、初期段階ではロック部材２が凹溝５６の対応部にロック爪２１を当接したときの応力により、また、ロック爪２１の傾斜面の存在により下降されて受け部である凹溝５５から係合解除する。ピンＰは、誘導溝１７ｄから復帰溝１７ｅを移動して住路溝１７の入口に移動される。
【００３８】
続いて、ロック装置側作動子３が磁性体である鉄製レール５６に接近すると、図６（ｄ）のごとく作動子３は磁石Ｍ2と鉄製レール５６との間に発生する磁力（吸引力）で上昇移動され、ピンＰは住路溝１７ａから誘導溝１７ｄに移動され、ストッパ４は軸４３がガイド溝３３ａの溝上より少し下側へ移動されそれにより当接部２２の上昇を規制する規制状態となる。
【００３９】
そして、前記押圧力を解放すると、扉９Ｂ，９Ａは図６（ｅ）のごとく蝶番側付勢ばね４９の付勢力により開方向へ回動ないしは移動される。このとき、このロック装置５においては、まず、作動子３は扉９Ｂ，９Ａの開方向の移動で鉄勢レール５６から離れるため磁石Ｍ2と鉄製レール５６との間に発生していた磁力（吸引力）が無くなって自重により下降し、ピンＰは誘導溝１７ｂから再び係止溝１７ｃに移動され、ストッパ４は引き続き当接部２２の上昇を規制する規制状態を保つ。扉９Ｂ，９Ａは、この状態で蝶番側付勢ばね４９の付勢力により開方向へ回動ないしは移動されることになる。以後は、扉９Ｂ，９Ａの閉方向への押圧動作毎に生ずるオーバストロークにより、扉９Ｂ，９Ａの係合保持、係合解除が繰り返されることになる。
【００４０】
（無理抜き構造）以上のロック装置５は、幼児や子供等が扉９Ｂ，９Ａの背面側閉空間（収納室等）に閉じ込められた場合の対策として簡単に係合解除可能となっている。次に、その無理抜き構造を図２、図４、図９により詳述する。
【００４１】
ロック装置５のケース１には、図４に示されるごとく両側の格納部１５に磁石Ｍ3が収容され爪部１５ａで抜け止めされる。空間１２には、コイル形の付勢部材５０が対向して設けられている軸１２ａで支持された状態に配置される。一方、上記した取付ベース６は、概略扉側凹所９ａに対応した形状であり、かつ、両側に設けられてねじＢを通す孔を形成しているフランジ部６ａと、両フランジ部６ａの間にあって下斜めに延長された傾斜壁６ｂと、両側壁の下奥側に同軸線上に貫通されている軸孔６ｃとを有している。
【００４２】
以上のロック装置５は、まず、ケース１の両側に突出されている軸部１４を取付ベース６の対応する軸孔６ｃに嵌合することにより、取付ベース６の内側に転倒可能に枢支される。その際、付勢部材５０は、一端５０ａがケース側の対応壁部に係止され、他端５０ｂが付勢力を発現しながら傾斜壁６ｂに係止される。このため、ロック装置５は、取付ベース６に対し軸部１４及び軸孔６ｃの係合を介して枢支された状態で、図８（ａ）に示されるごとく磁石Ｍ3と対応するフランジ部６ａとの間に発生する磁力（吸引力）と、付勢部材５０の付勢力とにより起立した正規位置に保持されている。図８（ａ）はロック装置５が正規位置で、かつ、扉９Ｂ，９Ａがロック部材側ロック爪２１が受け部である凹溝５５ａに係合されて閉扉状態に保持されている。左側が扉９Ｂ，９Ａの意匠面、右側が扉９Ｂ，９Ａの背面側で物入れ等の閉空間になっているものとする。
【００４３】
そして、図８（ａ）の状態において、例えば、子供が前記閉空間に閉じ込められた場合、扉９Ｂ，９Ａの意匠面及び背面ともに取っ手や手掛け用凹所がないため、その子供はロック装置５の係合を解除したくとも扉９Ｂ，９Ａを自力で閉空間側へ引っ張ることができず危機的な状態となる。しかし、この構造では、子供が前記閉空間側から扉９Ｂ，９Ａを押したり叩くだけでロック装置５が自動的に係合解除するようになっている。
【００４４】
すなわち、この構造では、振動や加重が扉９Ｂ，９Ａに加わると、ロック装置５が軸部１４を支点として、磁石Ｍ3と対応するフランジ部６ａとの間に発生する磁力（吸引力）、及び付勢部材５０の付勢力に抗して図８（ｂ）の矢印方向へ転倒される。この転倒過程ではロック部材側ロック爪２１が凹溝５５ａに突出係合した状態から、ロック爪２１の傾斜面による下向き応力により、磁石Ｍ1と鉄製レール５６との間に発生している磁力（吸引力）に抗してロック部材２を係合解除する。ロック装置５は、係合解除した後、図８（ｃ）のごとく付勢部材５０の付勢力により（途中からは磁石Ｍ3と対応するフランジ部６ａとの間に発生する磁力（吸引力）も加わって）元の正規位置に復帰される。扉９Ｂ，９Ａは蝶番側付勢ばね４９の付勢力により開方向へ切り換えられることになる。
【００４５】
（変形例）図９と図１０は、上記第１形態の一部を変更した変形例を示している。この説明では、第１形態とほぼ同じ箇所には同一符号を付し、異なる箇所又は変更された部材にのみ異なる符号を用いて変更点のみ詳述する。
【００４６】
第１の変更点は、第１形態の制御手段（３，４）のうち、作動子３とロック部材２とを作動連結する構造が異なっている。すなわち、変形例の制御手段（３，４Ａ）は、図９のごとくケース側空間１１に上下動可能に配設されて本体８の開口部側の磁性体（磁化された磁石を含む）としての鉄製レール５６に吸引される作動子３と、作動子３の下側にあって後面に開口した状態に設けられている嵌合凹部３４と、空間１１の後側に対向して設けられた軸孔付きの支持部１６と、一端側を嵌合凹部３４に摺動可能に連結し、他端４５ａ側をロック部材２に着脱してそのロック部材の移動を規制したり許容するシーソ式ストッパ４Ａと、ケース１側に設けられたカム溝１７及び作動子３側に設けられてカム溝１７をトレースする揺動子３５のピンＰからなるカム機構とを備えている。
【００４７】
ここで、シーソ式ストッパ４Ａは、両側面に軸部４６を突設した略舌状の板体４５からなり、ケース側両支持部１６の軸孔に対し対応する軸部４６を嵌合した状態でシーソ式に枢支されて、該軸部４６を挟んだ一端（図９の左端）側を作動子３の嵌合凹部３４に嵌合し、他端４５ａを図１０（ａ），（ｂ）のごとくロック部材２の当接部２２に着脱してそのロック部材の移動を規制したり許容する構成である。すなわち、図５に対応させると、図１０（ａ）は作動子３が上昇位置であり、ストッパ４Ａが一端側を嵌合凹部３４に嵌合し、他端４５ａをロック部材側当接部２２の移動を規制している。図１０（ｂ）は作動子３が下降位置であり、ストッパ４Ａが軸部４６を支点として逆時計回りに回動されて、他端４５ａを当接部２２の上方から逃げてロック部材側当接部２２の移動を許容している。また、変形例のカム機構（１７，Ｐ）は、磁性体である鉄製レール５６と磁石Ｍ2との間に生じる磁力（吸引力）による作動子３の移動を制御することにより、シーソ式ストッパ４Ａを介してロック部材２の移動を規制可能にする。
【００４８】
第２の変更点は、取付ベース６ＡがＡＢＳ等の合成樹脂成形体からなる点である。この取付ベース６Ａは、概略扉側凹所９ａに対応した形状であり、かつ、両側に設けられてねじＢを通す孔を形成しているフランジ部６ａと、両フランジ部６ａの間にあって下側に設けられた下壁６ｂと、両側壁の下奥側に同軸線上に貫通されている軸孔６ｃと、両フランジ部６ａの間にあって上側内面に設けられたクッションシートＣとを有している。クッションシートＣは、衝突緩和用であり、対応部に貼付されている。
【００４９】
第３の変更点は、取付ベース６Ａを合成樹脂製とした関係で、第１形態の無理抜き構造として使用した磁石Ｍ3を省くと共に、付勢部材５１の付勢力を増大している。すなわち、変形例では、ケース１が付勢部材５１を配置する比較的大きな下側空間１８及び該空間１８内で対向している軸１８ａとを形成している。そして、このロック装置５では、ケース１の両側に突出されている軸部１４を取付ベース６Ａの対応する軸孔６ｃに嵌合することにより、取付ベース６Ａの内側に転倒可能に枢支される。その際、付勢部材５１は、一端５１ａがケース側の対応壁部に係止され、他端５１ｂが付勢力を発現しながら下壁６ｂに係止される。
【００５０】
以上のロック装置５でも、取付ベース６Ａに対し軸部１４及び軸孔６ｃの係合を介して枢支された状態で、図８（ａ）と同様に付勢部材５１の付勢力により起立した正規位置に保持されている。そして、その状態において、例えば、子供が前記閉空間に閉じ込められた場合、その子供が前記閉空間側から扉９Ｂ，９Ａを押したり叩くだけでロック装置５が自動的に係合解除するようになっている。これらは第１形態と同じ。この変形では、第１形態に比べてシーソ式ストッパ４Ａと作動子３との連繋部分の構造が簡略されると共に、シーソ式ストッパ４Ａのロック部材２に対する応答性を良好にしたり規制荷重を過大に必要とするに好適となる。また、磁石Ｍ3を省略したり、取付ベース６Ａが樹脂成形体であるためその点からも簡素化できる。
【００５１】
（第２形態）図１１〜図１３は第１形態及び変形例よりも更に簡略化したものである。図１１は図２と図４に対応し、図１２は図６に対応し、図１３は図７に対応している。第２形態では図示を省いたが、図１はロック装置５をロック装置５Ａに変更すれば第２形態にも当てはまり、図３は第２形態でも同じである。この説明では、第１形態と作用的に同じ箇所には同一符号を付し、異なる箇所又は変更された部材に異なる符号を用いて詳述する。
【００５２】
（ロック装置の構成）第２形態のロック装置５Ａは、扉側凹所９ａに対し直接或いは取付ベース６Ａを介して配設されるケース１Ａと、ケース１Ａのロック部材用空間１０に上下動可能に支持されているロック部材２Ａと、ロック部材２Ａに組み込まれて本体８側開口部に設けられた磁性体としての鉄製レール５６にロック部材２Ａを吸引可能にする磁石Ｍ1と、磁性体としての鉄製レール５６とロック部材側磁石Ｍ1とからなる吸引手段を介したロック部材２の移動を制御する制御手段（１７ＡとＰ）とを備えている。そして、上記扉９Ａ，９Ｂは、蝶番６の付勢ばね４９により常時開方向へ付勢された状態で、その付勢力に抗して開から閉方向へ押されると共にロック部材２Ａが制御手段（１７ＡとＰ）及び吸引手段（５６とＭ1）を介して受け部である凹溝５５ａに突出係合されて閉扉状態に保持されると共に、閉扉状態から更に閉方向へ押されることで係合解除されると共にロック部材２Ａの係合解除状態を制御手段（１７ＡとＰ）を介して維持して開方向へ切り換えられる。なお、以上のロック装置５Ａは、扉側への取付構造として、扉側凹所９ａにねじＢで固定される合成樹脂製の取付ベース６Ａと、付勢部材５２とを備え、上記したと同じ無理抜き構造を採用している。
【００５３】
ここで、ケース１Ａは、概略上開口した容器状をなし、ロック部材２Ａを配置する空間１０と、付勢部材５２を配置する下側空間１９と、両側壁にあって前下側で同軸線上に突設されている軸部１４，１４及びカム溝１７Ａとを形成している。このうち、空間１０を区画しているケース１Ａの各壁において、ケース前壁にはロック部材２Ａの上昇位置を規制する対の嵌合溝１０ａが設けられ、前壁内面及び両側壁内面にはロック部材２Ａの移動を案内する複数のガイド溝１０ｂが設けられ、一方の側壁内面にはカム溝１７Ａが設けられている。符号１９ａは付勢部材５２を支持する軸部１２である。
【００５４】
ロック部材２Ａは、空間１０に対応したブロック状をなし、その上壁の前縁に突設されてガイドレール５５の凹溝５５ａ内に出没して係脱されるロック爪２１と、後壁の上側から前方に向けて開口された格納部２３と、同じく格納部２３の下側で前方に向けて開口された格納部２５と、前壁の中間より下側に設けられて各嵌合溝１０ａに嵌合される対の抜け止め用爪２４ａとを形成している。ロック爪２１の形状は前側が垂直面で、後側が傾斜面となっている。符号２６と２７は格納部３２の両側壁に対向して設けられたガイド溝である。符号２８ａは格納部３２の内側下面に設けられたガイド溝、符号２８ａは同じく格納部２５の内側上面に突設されたガイドリブである。
【００５５】
格納部２３には磁石Ｍ2が装着される。格納部２５には揺動子２９が組み込まれる。この揺動子２９は、一側面に突設されて後述するカム溝１７Ａの溝形状に沿って旋回するトレース用ピンＰと、他側面に突設された軸２９ａと、下面に設けられたガイドリブ２９ｂと、上面に設けられたガイド溝２９ｃとを形成している。そして、以上の揺動子２９は、格納部２５に入れられて、ピンＰがガイド溝２６から突出され、軸２９ａがガイド溝２７に嵌合され、ガイドリブ２９ｂがガイド溝２８ａに嵌合されることで、格納部２５に対し前後に揺動可能に配置される。なお、ピンＰとしては、ピン部材及び付勢部材で構成し、該付勢部材の付勢に抗して揺動可能に支持するようにしてもよい。そして、以上のロック部材２Ａは、格納部２３に磁石Ｍ1を装着した状態で、ケース側空間１０に対し、各縦リブ２０ｂを対応するガイド溝１０ｂに沿って嵌合しながら移動し、かつ爪２４ａを嵌合溝１０ａに嵌合すると上下動可能に組み込まれる。
【００５６】
また、上記制御手段は、ケース１側のカム溝１７Ａ、及びロック部材２側のトレース用ピンＰからなるカム機構からなり、該カム機構が扉９Ａ，９Ｂが閉扉状態から閉方向へ押され、その押し力が解放されて開方向へ動いたときにロック部材２Ａの吸引手段（５６とＭ1）を介した移動を一時的に規制可能にする構成である。
【００５７】
（カム機構とロック部材の作動）次に、以上のカム溝１７Ａの形状、及び該カム溝１７ＡをトレースするＰの軌跡とケース１内の各部材の動作との関係を説明する。図１２において、カム溝１７Ａは、逆凸でハート形の島１７ｆの周囲に形成されており、上側から右下側へ延びている住路溝１７ａと、下側に位置して左右に別れている係止用誘導溝１７ｂ及び解除用誘導溝１７ｄと、誘導溝１７ｂ，１７ｄの間で少し上側に位置した凹状係止溝１７ｃと、誘導溝１７ｄから下側へ延びる復帰溝２７ｅなどで構成されている。そして、ピンＰは、ロック部材２Ａが図１２（ａ）から（ｂ）のごとく下降位置から上昇されると、誘導溝１７ｄから復帰溝１７ｅの下端ないしは住路溝１７ａの下端に移動（ロック部材及びピンの上昇位置）し、ロック部材２Ａが図１２（ｂ）から（ｃ）のごとく上昇位置から下降されると住路溝１７ｂから誘導溝１７ｂに移動（ロック部材及びピンの下降位置）し、ロック部材２Ａが図１２（ｃ）から（ｄ）のごとく少し上昇されると誘導溝１７ｂから係止溝１７ｃに移動（ロック部材及びピンの中間位置）しその少し上昇した状態を一時的に保ち、更にロック部材２Ａが図１２（ｄ）から（ａ）のごとく下降されると係止溝１７ｃから誘導溝１７ｄに移動（ロック部材及びピンの下降位置）することになる。なお、付言すると、この構造では、図１２（ａ）のロック部材１２Ａの下降位置でガイドレール５５との間の隙間Ｄ1は、図１２（ｄ）のロック部材１２Ａの中間位置でガイドレール５５との間の隙間Ｄ2よりも大きくなっている。
【００５８】
（ロック装置の主作動）次に、以上のロック装置５Ａを用いたときの開扉状態（扉の開）から、閉扉状態に切り換えたり、閉扉状態から再び扉開状態に切り換えるときの作動について図１２及び図１３を参考にして明らかにする。なお、図１３は各部の状態変化に応じた扉９Ａ，９Ｂの開閉状態を模式的に示している。図１２と図１３中の矢印は移動方向又は力の加わる方向を示している。図１３では上記したガイドレール５５及び扉９Ｂの対応端側に設けられてガイドレール側凹溝５５ａに沿って移動する枢軸（この枢軸はピン構成、ローラー構成の場合もある）を破線で示している。また、以下の説明においても、付勢ばね４９の付勢力は磁石Ｍ1の鉄製レール５６に対する接近時の吸引磁力より大きく設定されているものとする。
【００５９】
（１）まず、開扉状態では、図１と図１２（ａ）及び図１３（ａ）に示されるごとく蝶番側の付勢ばね４９の付勢力により、扉９Ａ，９Ｂ同士の対向端部は手前方向へ向けてへの字形（付勢力がより強いと更にＶの字形）に回動されている。なお、この状態で、図１３（ａ）の想像線に示すごとく、扉９Ｂを手で矢印方向へ押圧することにより、扉９Ａ，９Ｂ同士が折り畳まれ、本体８側の開口部の幅を大きく開口することができる。この開扉状態では、図１２（ａ）のごとくピンＰが解除用誘導溝１７ｄにあり、ロック部材２Ａは自重により下降位置にある。
【００６０】
（２）開扉状態から閉扉状態にする場合は、図１３（ａ）及び図１２（ａ）に示されるごとく手や指で扉９Ｂ又は扉９Ａを蝶番側付勢ばね４９の付勢力に抗して矢印つまり閉方向へ押す。このロック装置５Ａでは、扉９Ｂ，９Ａの閉方向の移動でロック部材２Ａが磁性体である鉄製レール５６に接近すると、ロック部材２Ａは磁石Ｍ1と鉄製レール５６との間に発生する磁力（吸引力）で上昇移動されて、ロック爪２１が受け部であるガイドレール側凹溝５５ａに突出係合される。扉９Ｂ，９Ａはロック爪２１と凹溝５５ａとの係合により閉扉状態に保たれる。この閉扉状態では、図１２（ｂ）のごとくピンＰが住路溝１７ａの入口にあり、ロック部材２Ａは磁石Ｍ1と鉄製レール５６との間に働く磁力（吸引力）により上昇位置にある。なお、ロック部材２Ａは、ロック爪２１が扉開方向の面が垂直面、扉閉方向の面が上から下向きに広くなる傾斜面となっているため、付勢ばね４９によりロック装置５Ａ及び扉９Ａ，９Ｂを介して開方向への付勢応力を受けていても係合解除される虞はない。
【００６１】
（３）扉９Ｂ，９Ａを再び開扉状態にする場合は、図１２（ｃ），図１３（ｃ）に示されるごとく手や指で扉９Ｂ又は扉９Ａを蝶番７の付勢ばね４９の付勢力に抗して、閉方向へオーバーストローク（扉９Ｂ又は扉９Ａがガイドレール５５を通り過ぎること）するまで押す。この押圧過程において、初期段階ではロック部材２Ａが凹溝５６の対応部にロック爪２１を当接したときの応力により、また、ロック爪２１の傾斜面の存在により下降されて受け部である凹溝５５から係合解除する。その後、ロック部材２Ａが鉄製レール５６から離れると自重により下降する。ピンＰは、住路溝１７ａから復帰溝１７ｅを移動して誘導溝１７ｂに移動される。
【００６２】
そして、前記押圧力を解放（これは手や指を扉から離すことである）すると、扉９Ｂ，９Ａは図１２（ｄ）及び図１３（ｄ）のごとく蝶番側付勢ばね４９の付勢力により開方向へ回動ないしは移動される。このとき、このロック装置５Ａでは、ロック部材２Ａが鉄製レール５６を通過する際に図１２（ｄ）のごとく磁石Ｍ1と鉄製レール５６との間に発生する磁力（吸引力）で瞬間的に少し上昇された後、ロック部材２Ａが鉄製レール５６を通り過ぎると図１２（ａ）のごとく自重により下降する。ピンＰは、誘導溝１７ｂから係止溝１７ｃに一旦係合保持された後、誘導溝１７ｄに移動される。扉９Ｂ，９Ａは、引き続き付勢ばね４９の付勢力により開方向へ回動ないしは移動されることになる。以後は、扉９Ｂ，９Ａの閉方向への押圧動作毎に係合保持、係合解除が繰り返されることになる。
【００６３】
（無理抜き構造）第２形態のロック装置２Ａは、上記変形例と同様な無理抜き構造を採用している。すなわち、ロック装置５Ａは、取付ベース６Ａに対し軸部１４及び軸孔６ｃの係合を介して枢支された状態で、図８（ａ）と同様に付勢部材５２の付勢力により起立した正規位置に保持されている。この場合、付勢部材５２は、一端５２ａがケース側の対応壁部に係止され、他端５２ｂが付勢力を発現しながら下壁６ｂに係止される。そして、正規位置で閉扉状態において、例えば、子供が前記閉空間に閉じ込められた場合、その子供が前記閉空間側から扉９Ｂ，９Ａを押したり叩くだけでロック装置５Ａが自動的に係合解除するようになっている。この作動は変形例と同じ。この第２形態では、第１形態及び変形例に比べて作動子３及びストッパ４，Ａが不要であり、ロック部材２Ａを直動式としたため部材数を減じたり、簡素化及び小型化を実現できる。
【００６４】
なお、各形態及び変形例では扉として中折れ式扉を挙げたが、本発明のロック装置は開方向へ付勢される回動タイプ（一端を支点として回動される構成、一端の枢軸や枢支部を移動しながら回動される構成を含む）の扉であれば、一枚物、逆に３枚以上連結した折り戸式扉にも適用可能である。
【符号の説明】
【００６５】
１，１Ａ…ケース（１０はロック部材用空間、１１は作動子用空間）
２，２Ａ…ロック部材（２１はロック爪、２２は当接部、２３は格納部）
３，３Ａ…作動子（制御手段、３１は格納部、３５は揺動子）
４…スライド式ストッパ（制御手段）  
４Ａ…シーソ式ストッパ（制御手段）
５，５Ａ…ロック装置
６，６Ａ…取付ベース
７…蝶番（４９は付勢ばね）
８…框（８ａは縦材、８ｂは横材）
９Ａ，９Ｂ…中折れ式扉（９ａは凹所）
１７，１７Ａ…カム溝（カム機構）
５５…ガイドレール（５５ａは受け部としての凹溝）
５６…鉄製レール（磁性体）
Ｐ…トレース用ピン（カム機構）
【図１】
2010174533.tif 000003
【図２】
2010174533.tif 000004
【図３】
2010174533.tif 000005
【図４】
2010174533.tif 000006
【図５】
2010174533.tif 000007
【図６】
2010174533.tif 000008
【図７】
2010174533.tif 000009
【図８】
2010174533.tif 000010
【図９】
2010174533.tif 000011
【図１０】
2010174533.tif 000012
【図１１】
2010174533.tif 000013
【図１２】
2010174533.tif 000014
【図１３】
2010174533.tif 000015